(57)【要約】【課題】市場要求に応じてつり合いおもりの積み上げスペースを拡大することにある。【解決手段】エレベータかごを昇降する昇降路１内にかご領域５および当該かご領域５に対して幅方向または奥行方向におもり領域６とを配置し、かご領域５のオーバヘッド部４側の駆動装置システム７を設置する一方、この駆動装置システム７の投影面積から外れたおもり領域６側につり合いおもり８を配置し、市場要求に応じたつり合いおもりの積み上げを実現するエレベータ設備である。【選択図】　　図１
2004026424.tif 000002
【特許請求の範囲】
【請求項１】
昇降路内にエレベータかご、つり合いおもり及びこれらエレベータかご、つり合いおもりを昇降する駆動装置を配置したエレベータ設備において、
前記昇降路内にかご領域および当該かご領域の幅方向または奥行方向におもり領域を配置し、前記かご領域外に駆動装置を設置する一方、この駆動装置の投影面積から外れた前記おもり領域内につり合いおもりを配置し、この合いおもりの積み上げ拡大をを可能にしたことを特徴とするエレベータ設備。
【請求項２】
請求項１に記載のエレベータ設備において、
前記かご領域外の上部に駆動装置を設置する一方、前記昇降路上部のかご領域と前記おもり領域との境界近傍に返し車を設置し、前記駆動装置に取付けられるシーブに掛け渡されたロープの一端を前記返し車を経由し、前記おもり領域側に配置されるつり合いおもり用シーブに掛け渡し、つり合いおもりを吊り下げる構成としたことを特徴とするエレベータ設備。
【請求項３】
請求項１又は請求項２に記載のエレベータ設備において、
前記かご領域内のピット部からオーバヘッド部にかけて支持部材を立設し、この支持部材に前記駆動装置を支持する構成としたことを特徴とするエレベータ設備。
【請求項４】
請求項１又は請求項２に記載のエレベータ設備において、
前記かご領域内のピット部からオーバヘッド部にかけて複数の支持部材を立設し、これら支持部材上に前記駆動装置を支持するための支持ブラケットを設けたことを特徴とするエレベータ設備。
請求項１に記載のエレベータ設備において、
【請求項５】
請求項１に記載のエレベータ設備において、
前記かご領域の下部に駆動装置を設置する一方、前記昇降路上部のかご領域と前記おもり領域との境界近傍に返し車を設置し、前記駆動装置に取付けられるシーブに掛け渡されるロープの一端を前記返し車を経由し、前記おもり領域側に配置されるつり合いおもり用シーブに掛け渡し、つり合いおもりを吊り下げる構成としたことを特徴とするエレベータ設備。
【発明の詳細な説明】
【０００１】
【発明の属する技術分野】
本発明は、昇降路内にエレベータかご、つり合いおもり及び昇降用駆動装置を配置したエレベータ設備に関する。
【０００２】
【従来の技術】
従来のエレベータ設備における昇降路５１は、図８に示すように下側から順にピット（ＰＩＴ）部５２、各階床部５３及び最上階から上部のオーバヘッド（ＯＨ）部５４により構成されている。なお、同図に示す模擬線５５の部分には各階床部５２が存在するが、説明の便宜上、それら各階床部５３を表わす図は省略する。
【０００３】
昇降路５１のオーバヘッド部５４は、エレベータかご等を昇降するための駆動装置システム５６が設けられている。この駆動装置システム５６は、駆動装置である電動機本体５７の回転軸に取付けられたシーブ５８にロープ５９が掛け渡され、そのロープ一端側がつり合い重り用返し車６０を介してつり合いおもり６１を吊り下げるとともに、ロープ一端部が駆動装置システム設置枠などに固定されている。前記ロープ５９の他端部は、返し車６２および返し車６３に送られている。
【０００４】
なお、図８に示すつり合いおもり６１の手前側にエレベータかごが配置されているが、駆動装置システム５６とつり合いおもり６１との関係を説明する必要から、エレベータかごは省略されている。
【０００５】
従って、以上のようなエレベータ設備は、上部から下側を見たとき、駆動装置システム５６の投影面積内につり合いおもり６１が設置されているので、つり合いおもり６１の高さと駆動システム５６の高さとの合計に相当する高さ分が昇降路の高さの中に組み入れた状態で昇降路を構築する必要がある。
【０００６】
【発明が解決しようとする課題】
ところで、一般的にエレベータ設備では、つり合いおもり６１の重量はエレベータかごの重さに比例して重くしていく必要がある。例えば同じ積載でも、仕様により、かごの質量は大幅に異なってくる。それに伴ない、つり合いおもりも重くする必要があり、その分つり合い重りの積み上げスペースを拡大する必要がある。しかし、駆動装置システムの投影面積内につり合い重りが設置されていることから、ある一定量以上は、高さ方向の余裕がなくなり、市場要求を満たせない場合がある。この場合には、さらにつり合いおもり６１の積み上げスペースを拡大する必要があるが、駆動装置システム５６の投影面積内につり合いおもり６１が設置されていることから、高さ方向の余裕がなくなり、市場要求を満たせない状況にある。
【０００７】
また、エレベータ設備を設置する市場関係者では、ピット部５２及びオーバヘッド部５４の高さを短くしたい要求が以前にも増して高まっているが、駆動装置システム５６およびつり合いおもり６１の格納スペースが必要であることを考えると、前述する要求に応えることが非常に難しい状況にきている。結局、つり合いおもり６１の高さに大きな影響を受けることになり、エレベータかごの重量及び積載重量に対処するために、市場要求に反してもピット部５２及びオーバヘッド部５４の高さ寸法を拡大して対応するしかないのが現状である。
【０００８】
本発明は上記事情に鑑みてなされたもので、市場要求に応じてつり合いおもりの積み上げを拡大できるエレベータ設備を提供することを目的とする。
【０００９】
【課題を解決するための手段】
（１）　上記課題を解決するために、本発明に係わるエレベータ設備は、昇降路内にかご領域および当該かご領域の幅方向または奥行方向におもり領域を配置し、前記かご領域外に駆動装置を設置する一方、この駆動装置の投影面積から外れた前記おもり領域内につり合いおもりを配置することにより、市場要求に応じて前記駆動装置を含む駆動装置システムに相当する高さ分だけつり合いおもりを拡大することが可能である。
【００１０】
（２）　なお、かご領域外の上部に駆動装置を設置する一方、前記昇降路上部のかご領域と前記おもり領域との境界近傍に返し車を設置し、前記駆動装置に取付けられるシーブに掛け渡されるロープの一端を前記返し車を経由し、前記おもり領域側に配置されるつり合いおもり用シーブに掛け渡し、つり合いおもりを吊り下げるようにすれば、前記（１）と同様の作用効果を奏する。
【００１１】
また、かご領域内のピット部からオーバヘッド部にかけて支持部材を立設し、前記オーバヘッド部に位置する支持部材に前記駆動装置を支持する構成とすれば、前記（１）と同様の作用効果を奏する他、エレベータ設備の垂直荷重の全てを支持部材で受ける構成とすることが可能である。
【００１２】
さらに、かご領域内のピット部からオーバヘッド部にかけて複数の支持部材を立設し、これら支持部材に駆動装置を支持する支持ブラケットを設けた構成においても、エレベータ設備の垂直荷重の全てを支持部材で受ける構成とすることが可能となる。
【００１３】
（３）　さらに、本発明に係わるエレベータ設備は、かご領域の下部に駆動装置を設置する一方、前記昇降路上部のかご領域と前記おもり領域との境界近傍に返し車を設置し、前記駆動装置に取付けられるシーブに掛け渡されるロープの一端を前記返し車を経由し、前記おもり領域側に配置されるつり合いおもり用シーブに掛け渡し、当該つり合いおもりを吊り下げる構成とすれば、駆動装置等の据付けコストの低減化に大きく貢献することが可能となる。
【００１４】
【発明の実施の形態】
以下、本発明の実施の形態について図面を参照して説明する。
【００１５】
（第１の実施の形態）
図１は本発明に係わるエレベータ設備の一実施の形態を説明する縦断面図である。
【００１６】
同図において１はエレベータかごおよびつり合いおもりを昇降する所要の設備を設置する昇降路であって、この昇降路１の高さ方向には、前述したように昇降路下側からピット（ＰＩＴ）部２、各階床部３及び最上階から上部のオーバヘッド（ＯＨ）部４の順で配置され、一方、昇降路１の幅方向または奥行方向にはかご領域５および当該かご領域５に隣接させておもり領域６が配置されている。
【００１７】
このかご領域５の上部であるオーバヘッド部４にはエレベータかご（図示せず）等を昇降するための駆動装置システム７が設置され、一方、おもり領域６にはエレベータかごの重量に比例し、或いは市場要求に応じた重量のつり合いおもり８が配置されている。つり合いおもり８は、駆動装置システム７の投影面積から外れたおもり領域６に配置する構成となっている。
【００１８】
以上のように駆動装置システム７の投影面積外の領域６につり合いおもり８を設けた理由は、近年では、建物高さ方向の自由度より平面的な自由度の方が高いためである。
【００１９】
このエレベータ設備は、具体的には、かご領域５の上部に設置される駆動装置システム７を構成する駆動装置である電動機本体１１の回転軸に取付けられるシーブ１２にロープ１３が掛け渡され、このロープ１３の両端がそれぞれシーブ１３の両側下部に設置される左側返し車１４ａおよび右側返し車１４ｂに掛け渡される。
【００２０】
シーブ１２に掛け渡されたロープ１３の一端部は、左側返し車１４ａを経由し、かご領域５上部の返し車１５に渡される。また、ロープ１３の他端部は、右側返し車１４ｂを経由し、かご領域５上部とおもり領域６上部との境界部分となる個所に設置される返し車１６に渡される。この返し車１６はおもり領域６上部からかご領域５の上部一部に突き出るように架設される支持ブラケット１７に回転可能に支持されている。
【００２１】
シーブ１２、右側返し車１４ｂおよび返し車１６に掛け渡されたロープ１３の他端部は、つり合いおもり８を吊り下げ支持する上梁に８ａに回転可能に取付けられているつり合い用シーブ８ｂを経由し、前記支持ブラケット１７の底部に固定されている。
【００２２】
図中１８はつり合いおもり８の両側部近傍に立設されるおもり用ガイドレールである。
【００２３】
なお、左側返し車１４ａと右側返し車１４ｂとの距離を極力近づけるように配置すれば、従来の昇降路とそれほど変らない平面面積の昇降路１を実現することが可能である。
【００２４】
従って、以上のような実施の形態によれば、つり合いおもり８の高さは駆動装置システム７の高さ方向の寸法に左右されることなく、ピット部２とオーバヘッド部４の寸法だけで構成される昇降路１の高さ寸法により決定できる。すなわち、つり合いおもり８の高さは、従来のつり合いおもりの高さよりも、駆動装置システム７の高さ分だけ拡大することが可能である。このことは、結果的につり合いおもり８の重さが従来より重くできるため、市場要求に十分に対応することができる。
【００２５】
（第２の実施の形態）
図２及び図３は本発明に係わるエレベータ設備の他の実施形態を説明する縦断面図および図２に示すＡ−Ａ矢視図である。なお、これらの図において図１と同一部分には同一符号を付し、同一部分の説明は図１の説明に譲る。
【００２６】
このエレベータ設備は、駆動装置システム７の投影面積から外れた領域であるおもり領域６につり合いおもり８を配置する点は図１と同様である。
【００２７】
特に異なる部分は、かご領域５上部およびおもり領域６上部に跨って支持ブラケット２１を架設するとともに、昇降路中のかご領域５内のピット部２からオーバヘッド部４の支持ブラケット２１にかけて例えばガイドレール等の支持部材２２が立設され、この支持部材２２に駆動装置システム７を固定設置する構成である。
【００２８】
この支持部材２２の所要個所には電動機本体１１の回転軸に直結されるシーブ１２が回転可能に軸支され、またシーブ１２の軸支部分よりも下位側には車支持部材２３が直交するように取付けられ、この車支持部材２３の両端側に左側返し車１４ａ、右側返し車１４ｂが回転可能に軸支されている。
【００２９】
なお、図示されていないが、当該支持部材２２と対峙する反対側にも支持部材を設けることも可能であるが、一般に昇降路壁が存在するので、当該昇降路壁を用いて支持を兼ねることができる。
【００３０】
さらに、支持ブラケット２１におけるかご領域５とおもり領域６との境界部分に相当する個所に返し車１６が回転可能に支持され、シーブ１２に掛け渡されたロープ１３の他端部を経由させ、おもり領域６側に導く構成となっている。
【００３１】
なお、図３において２４はエレベータかご、２５はかごドア、２６はホールドアである。
【００３２】
従って、以上のような実施の形態では、第１の実施の形態と同様の効果を奏する他、エレベータ設備の垂直荷重の全てが支持部材２２で受けるので、エレベータ設備の垂直荷重による建屋側に与える影響を大幅に低減でき、さらにエレベータ設備の構築が非常に容易になる。
【００３３】
（第３の実施の形態）
図４及び図５は本発明に係わるエレベータ設備の他の実施形態を説明する縦断面図および図４で示すＢ−Ｂ矢視図である。なお、これらの図において図１と同一部分には同一符号を付し、同一部分の説明は図１に譲る。
【００３４】
このエレベータ設備は、第１の実施の形態と同様に、駆動装置システム７の投影面積から外れた領域であるおもり領域６につり合いおもり８を配置する点で同一である。
【００３５】
このエレベータ設備は、昇降路中のかご領域５内のピット部２からオーバヘッド部４にかけて当該かご領域５内の両側に支持部材２２ａ，２２ｂが立設され、これら支持部材２２ａ，２２ｂ上に跨るように支持台３１が載置されている。これら支持部材２２ａ，２２ｂと対峙する反対側にも同様に支持部材を設けてもよいが、一般に昇降路壁が存在するので、当該昇降路壁を用いて支持を兼ねることができる。
【００３６】
この支持台３１には、電動機本体１１の回転軸に直結されるシーブ１２および左側返し車１４ａ、右側返し車１４ｂをそれぞれ回転可能に支持するための軸支持ブラケット３２が載置され、これら軸支持ブラケット３２および支持台３１を介してエレベータ設備の垂直荷重を支持部材２２ａ，２２ｂで受ける構成となっている。
その他の構成については図１と同様であるので、ここでは省略する。
【００３７】
従って、この実施の形態によれば、第１の実施の形態と同様の効果を奏する他、エレベータ設備の垂直荷重の全てが４つの支持部材２２ａ，２２ｂで受けるので、エレベータ設備の垂直荷重による建屋側に与える影響を大幅に低減できる。また、かご領域５内のコーナ部分に立設される複数の支持部材２２ａ，２２ｂで垂直荷重を受けることから、図２のように昇降路１上部に架設される支持ブラケット２１まで延ばす必要がなくなり、駆動装置システム７の取り付け台と考えることができ、支持部材２２ａ，２２ｂの高さ方向の寸法を大幅に短縮できる。
【００３８】
（第４の実施の形態）
図６および図７は本発明に係わるエレベータ設備のさらに他の実施形態を説明する縦断面図および図６で示すＣ−Ｃ矢視図である。なお、これらの図において図１と同一部分には同一符号を付し、同一部分の説明は図１に譲る。
【００３９】
このエレベータ設備は、第１の実施の形態と同様に、駆動装置システム７の投影面積から外れた領域であるおもり領域６につり合いおもり８を配置する点で同様である。
【００４０】
このエレベータ設備は、昇降路１中のかご領域５のピット部２側、つまりかご領域５の下部側に例えば支持部材４１を立設させ、この支持部材４１に電動機本体１１を支持し、シーブ１２に掛け渡されるロープ１３の一方端部がかご領域５上部に配置される返し車１５に掛け渡され、当該ロープ１３の他端部がおもり領域６からかご領域５の一部に突き出す支持ブラケット１７のかご領域５とおもり領域６との境界部分に相当する個所に回転可能に支持される返し車１６に送られ、つり合いおもり８を吊り下げ支持する上梁に８ａに回転可能に取付けられている返し車８ｂに掛け渡されている。
【００４１】
従って、以上のような実施の形態では、第１の実施の形態と同様の効果を奏する他、エレベータ設備の垂直荷重の殆どを２つの支持部材４１で受けるので、エレベータ設備の垂直荷重による建屋側に与える影響を大幅に低減できる。また、第２、第３の実施の形態に比べ、昇降路１の最下部だけに支持部材を設置する構成であるので、材料コスト、駆動装置システムの据え付けコストを大幅に低減できる。さらに、第２、第３の実施の形態に比べ、返し車の数を削減することができる。
【００４２】
なお、本願発明は、上記実施の形態に限定されるものでなく、その要旨を逸脱しない範囲で種々変形して実施できる。また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００４３】
【発明の効果】
以上説明したように本発明によれば、市場要求に応じ、あるいはエレベータかごの重量に応じてつり合いおもりの積み上げを容易に拡大できるエレベータ設備を提供できる。
【図面の簡単な説明】
【図１】本発明に係るエレベータ設備の一実施の形態を説明する縦断面図。
【図２】本発明に係るエレベータ設備の他の実施の形態を説明する縦断面図。
【図３】図２に示すエレベータ設備のＡ−Ａ矢視図。
【図４】本発明に係るエレベータ設備のさらに他の実施の形態を説明する縦断面図。
【図５】図４に示すエレベータ設備のＢ−Ｂ矢視図。
【図６】本発明に係るエレベータ設備のさらに他の実施の形態を説明する縦断面図。
【図７】図６に示すエレベータ設備のＣ−Ｃ矢視図。
【図８】従来のエレベータ設備を説明する縦断面図。
【符号の説明】
１…昇降路
２…ピット部
３…各階床部
４…オーバヘッド部
５…かご領域
６…おもり領域
７…駆動装置システム
８…つり合いおもり
１１…電動機本体
１２…シーブ
１３…ロープ
１４ａ，１４ｂ，１５，１６…返し車
１７，２１…支持ブラケット
２２，２２ａ，２２ｂ…支持部材
２３…車支持部材
３１…支持台
３２…軸支持ブラケット
４１…支持部材
【図１】
2004026424.tif 000003
【図２】
2004026424.tif 000004
【図３】
2004026424.tif 000005
【図４】
2004026424.tif 000006
【図５】
2004026424.tif 000007
【図６】
2004026424.tif 000008
【図７】
2004026424.tif 000009
【図８】
2004026424.tif 000010